(57)【要約】  個人衛生用吸収性物品を着用者の衣類に固定するための接着剤を含む上記物品、特に、生理用ナプキン、パンティライナーなど。本発明は、パンティー材料のタイプ及び洗濯習慣、例えば柔軟剤による処理などにあまり左右されず、従って、未処理のパンティー及び柔軟剤処理済のパンティー上への確実な固定を確保する接着性能を有する接着剤を提供する。さらに、本発明の接着剤は、その使用（即ち、適用時、着用中、及び除去時）に沿った接着強度の変化が特に少ない。本発明の接着剤は、３５％以下のΔＰ及び２５％以下のΔＳを有する。【特許請求の範囲】
【請求項１】
個人衛生用使い捨て吸収性物品であって、
着用者に面する表面及び衣類に面する表面を有し、
前記衣類に面する表面は、前記物品を着用者の前記衣類に貼り付けるための接着剤を含み、
前記衣類に面する表面上の前記接着剤が、３５％以下のΔＰ及び２５％以下のΔＳを有することを特徴とする、使い捨て吸収性物品。
【請求項２】
ΔＰが２５％以下、及び好ましくは１０％以下である、請求項１に記載の使い捨て吸収性物品。
【請求項３】
ΔＳは１５％以下、及び好ましくは５％以下である、請求項１又は２に記載の使い捨て吸収性物品。
【請求項４】
前記衣類に面する表面が、少なくとも３０％、好ましくは４０％、さらに好ましくは少なくとも５０％、さらにより好ましくは少なくとも６０％、最も好ましくは７０〜１００％の表面被覆率で、前記接着剤により被覆されている、請求項１〜３のいずれか一項に記載の吸収性物品。
【請求項５】
前記接着剤が、１〜３５ｇ／ｍ２、好ましくは１０〜３０ｇ／ｍ２、最も好ましくは１５〜２５ｇ／ｍ２の坪量で、前記衣類に面する表面上に存在する、請求項１〜４のいずれか一項に記載の吸収性物品。
【請求項６】
前記物品が、生理用ナプキン、パンティライナー、おむつ、腋窩汗パッド、ハットバンド、又は失禁防御デバイスである、請求項１〜５のいずれか一項に記載の物品。
【発明の詳細な説明】
【技術分野】
【０００１】
本発明は、個人衛生用吸収性物品を着用者の衣類に固定するための接着剤を含む上記物品、特に生理用ナプキン、パンティライナーなどに関する。本発明は、パンティー材料のタイプ及び洗濯習慣、例えば柔軟剤による処理などにあまり左右されず、従って、未処理のパンティー及び柔軟剤処理済みのパンティー上への確実な固定を確保する接着性能を有する接着剤を提供する。さらに、本発明の接着剤は、吸収性物品を引き剥がすときと吸収性物品を着用するときとの間の剥離強度の変化が特に少ない。
【背景技術】
【０００２】
個人衛生用使い捨て吸収性物品を固定するために接着剤を使用することは、当該技術分野において周知である。特に、ホットメルト及びエマルション系接着剤の使用は、一般的な技術標準である。衣類固定のために、吸収性物品のバックシート上にエマルション系接着剤を適用することは、例えば、ＳＥ−Ａ−３７４，４８９から既知である。この目的のためにホットメルト接着剤を使用することは、例えば、欧州特許出願第１４０，１３５号又はＰＣＴ国際公開特許ＷＯ００／６１０５４号に記載されている。
【０００３】
布地の柔軟性を改善するために、下着を洗濯した後に布地柔軟剤を適用することは非常に一般的である。布地柔軟剤は、布地繊維の表面特性を改質することにより衣類の布地に作用する。柔軟剤の効果の１つは、例えば、脂肪様分子の薄層を付着させることにより、繊維表面をより疎水性にすることである。
【発明の開示】
【発明が解決しようとする課題】
【０００４】
これらの表面処理は、吸収性物品をパンティーなどの下着に固定するために使用される、従来の接着剤の固定性能に弊害をもたらすことが判明している。これらの接着剤は、以後パンティー固定用接着剤又はＰＦＡと呼ばれる。室内実験及び消費者からのフィードバックにより、柔軟剤処理は、従来のＰＦＡの剥離強度を著しく低減させることが立証されている。
【０００５】
それ故に、未処理のパンティー及び柔軟剤処理済のパンティーのどちらにおいても同様の固定性能を有するＰＦＡを提供することは有利である。
【０００６】
さらに、このような接着剤が、その使用中に改善された接着レベルを確保するために、パンティー上への適用から除去までの着用時間中に同様の剥離強度を有する場合は有利である。
【課題を解決するための手段】
【０００７】
上記の問題を解決するために、本発明は、個人衛生用使い捨て吸収性物品を提供し、上記物品は、着用者に面する表面及び衣類に面する表面を有し、上記衣類に面する表面は、上記物品を着用者の衣類に貼り付けるための接着剤を含み、上記衣類に面する表面上の接着剤は、３５％以下のΔＰ、及び２５％以下のΔＳを有することを特徴とする。
【発明を実施するための最良の形態】
【０００８】
本明細書で「吸収性物品」という用語は、流体及び／又は滲出物、とりわけ体液／身体滲出物を受けること及び／又は吸収すること及び／又は収容すること及び／又は保持することのできる、あらゆる物品を包含する非常に広い意味で用いられる。本発明で言及される吸収性物品は、典型的には、着用者に面する表面としての流体透過性トップシートと、典型的には水蒸気及び／又は気体透過性である衣類に面する表面としての流体不透過性バックシートと、それらの間に含まれる吸収性コアとを含む。さらにその上、本発明に関連する吸収性物品は、ユーザーの衣類にそれらを貼り付けるための手段、特に接着剤が設けられている。本発明に関連する典型的な吸収性物品は、使い捨て吸収性物品である。本発明による典型的な使い捨て吸収性物品は、例えば乳幼児のおむつのような乳幼児ケア物品；失禁パッド、及び腋窩汗パッド又はハットバンドのような発汗パッドなどの個人衛生用吸収性物品である。典型的な使い捨て吸収性物品は、生理用ナプキン及びパンティライナーのような婦人衛生用吸収性物品、並びに失禁パッドである。
【０００９】
本明細書では、「体液」は、例えば発汗、尿、血液、月経液、膣分泌物等を包含する、人体によって生成されるいかなる流体をも意味する。
【００１０】
本明細書では、用語「使い捨て」は、洗濯、又は別の方法で物品として復元若しくは再利用することを目的としない物品（即ち、それらは１回使用後に廃棄されることを目的とし、従来よりリサイクルされるか、堆肥化されるか、又は環境に適した方式で処理されることを目的とする）を記述するために使用される。
【００１１】
用語「使用」は、本明細書で使用するとき、吸収性物品が実際に生体構造に接触して置かれるとき又はユーザーの衣料内に置かれるときに始まり、処分のために吸収性物品を除去するまで続く期間を指す。
【００１２】
本明細書で使用するとき、「親水性」は、空気中で水との接触角が９０度未満である物質を指し、一方、本明細書で用語「疎水性」は、空気中で水との接触角が９０度以上である物質を指す。疎水性物質は、撥水剤とも称される。
【００１３】
後に述べるように、本発明に関連する吸収性物品は、ユーザーの衣類にこの物品を貼り付けるための接着手段を含む。この接着剤は、「パンティー固定用接着剤」又は「ＰＦＡ」とも称される。ＰＦＡは、本発明の吸収性物品を着用者の衣類に貼り付けるために、上記吸収性物品の衣類に面する表面上、典型的にはバックシート上に設けられる。同様に、製品がウィング付き製品であれば、ウィングを着用者の衣類に固定するために、そのウィングは、衣類に面する表面上にＰＦＡを設けることもできる。本明細書に用いるＰＦＡは、ほとんどの場合、感圧性接着剤、典型的にはホットメルト感圧性接着剤である。
【００１４】
「柔軟剤」又は「布地柔軟剤」は、本明細書において組成物である。布地柔軟剤は、当該技術分野において広く既知である。例は、すすぎ工程で布地を柔軟化するのに好適な第四級アンモニウム化合物、及び、脂肪酸とアミノアルコールの反応から得られるエステルである。商用の柔軟剤の例は、プロクター・アンド・ギャンブル（Procter and Gamble）により商品化されている「レノア（LENOR）」又は「ダウニー（DOWNY）」である。
【００１５】
パンティー固定用接着剤（ＰＦＡ）
バックシートは、典型的には、パンティー固定用接着剤がその上に配置される、吸収性物品の衣類に面する表面を形成する。パンティー固定用接着剤は、このような目的で当該技術分野において使用される、あらゆる接着剤又は糊を含むことができる。これらの接着剤は、典型的には感圧性であり、その適用温度をはるかに下回っても粘着性を維持する。それ故使用する従来の接着剤は、例えば、サヴァレ社（Savare I.C.）｛イタリア、ミラノ（Milan）｝製のサヴァレ（Savare）ＬＡ２０３及びサヴァレＬＡ３０３、ケメリング社（Koemmering）｛ドイツ、ピルマゼンス（Pirmasens）｝製のコラメルト（Coramelt）８６７、Ｈ．Ｂ．フラー社（H. B. Fuller Co.）｛ドイツ、リューネブルグ（Lueneburg）｝製のフラー（Fuller）Ｄ３９６４ＺＰ、フラーＨ−２２３８ＺＰ、及びフラー１４６１Ｘ、ナショナル・スターチ・アンド・ケミカル社（National Starch and Chemical）｛ニュージャージー州ブリッジウォーター（Bridgewater）｝製のＮＳ３４−２８２３である。しかしながら、これらの接着剤は、下記の表１に報告されるように、より幅広いデルタＳ及びＰを有する。接着性能が、洗濯習慣（デルタＳ）及び使用中の圧縮（デルタＰ）に関して過度に変動すると、（疎水性のパンティーと弱い圧縮の極端な場合における）過度に低い接着性又は（親水性の表面と強い圧縮の最悪の組み合わせにおける）過度に強い接着性のいずれかがもたらされる。これらの観測結果に基づき、本発明者らは、欠点を克服できる接着剤が、２つの望ましいパラメータを満たしている必要があることを見出した。本発明の接着剤は、３５％以下のΔＰ及び２５％以下のΔＳを有するべきである。
【００１６】
上記の望ましい本発明の性質を満たす代表的なＰＦＡは、サヴァレ社（イタリア、ミラノ）から入手可能なＭＦ１１２Ｄである。ＭＦ１１２Ｄは、およそ（ａ）ＳＩＳ（スチレン−ブタジエン−スチレン）ポリマーのブレンド３０重量％、（ｂ）粘着付与樹脂のブレンド５０重量％、及び（ｃ）可塑剤２０重量％、及び他の構成成分を含む成分の混合物からなる感圧性接着剤組成物である。動的機械分析による粘弾性の特徴付けは、およそ（ａ）１Ｈｚ、０℃でのｔａｎδピーク、（ｂ）１Ｈｚ、０℃での３．０のｔａｎδ、（ｃ）２５℃、１Ｈｚでの４００００Ｐａの弾性率Ｇ’、（ｄ）４０℃、１Ｈｚでの３００００Ｐａの弾性率Ｇ’、（ｅ）４０℃、２００Ｐａ、６６０秒後での１．７％のクリープ変形を示す。
【００１７】
吸収性物品
本発明の吸収性物品は、典型的には身体に面する表面としてのトップシートと、衣類に面する表面としてのバックシートと、それらの間に配置された吸収性コアとを含む。
【００１８】
トップシート
トップシートは順応性があり、柔らかい感触で、着用者の皮膚に刺激を与えない。トップシートは、それがトップシートの一部又はその伸長の至るところにおいて、１方向又は２方向に伸張することを可能にするために、弾性的特徴を有することもできる。さらに、トップシートは流体透過性であり、流体（例えば、経血及び／又は尿）がその厚みを容易に通過可能である。好適なトップシートは、織布材及び不織布材；孔あき成形熱可塑性フィルム、孔あき可塑性フィルム、及びハイドロフォーミングされた熱可塑性フィルムなどのポリマー材料；並びに熱可塑性スクリム、などの広範囲の材料から製造され得る。好適な織布材及び不織布材は、天然繊維（例えば、木材繊維若しくは綿繊維）、合成繊維（例えば、ポリエステル繊維、ポリプロピレン繊維、若しくはポリエチレン繊維などのポリマー繊維）から、又は天然及び合成繊維の組み合わせ、又は２成分／多成分繊維からなることができる。
【００１９】
本発明で使用する典型的なトップシートは、嵩高不織布トップシート及び孔あき成形フィルムトップシートから選択されてもよい。孔あき成形フィルムは、身体滲出物に対して透過性があり、しかも非吸収性であり、流体を逆戻りさせて着用者の皮膚を再び濡らす傾向が少ないので、トップシートに関して非常に一般的である。従って、身体と接触している成形フィルムの表面は乾いた状態に保たれ、これによって身体の汚れが低減されて、着用者にさらに快適な感触を与える。好適な成形フィルムは、米国特許第３，９２９，１３５号、米国特許第４，３２４，２４６号、米国特許第４，３４２，３１４号、米国特許第４，４６３，０４５号、及び米国特許第５，００６，３９４号に記載されている。特定のミクロ孔を有する成形フィルムトップシートは、米国特許第４，６０９，５１８号及び米国特許第４，６２９，６４３号に開示されている。本発明に関する代表的なトップシートは、上記特許の１つ以上において記載され、「ドライウィーブ（DRI-WEAVE）」としてプロクター・アンド・ギャンブル社（Procter & Gamble Company）｛オハイオ州シンシナティ（Cincinnati）｝によって生理用ナプキンとして販売されている成形フィルムを含む。
【００２０】
均一に分散した液体通路ではなく一部分だけに液体通路を有するトップシートも、本発明の意図するものである。典型的には、このようなトップシートは、トップシートの中心部では液体透過性であって周辺部では液体不透過性になるように配向した、液体通路を有することになる。
【００２１】
成形フィルムトップシートの身体面は、身体面が親水性でない場合よりも素早く液体がトップシートを通して移動するのに役立つように親水性であることができる。特定の実施形態では、ＰＣＴ国際公開特許ＷＯ９３／０９７４１号に記載されているように、界面活性剤が成形フィルムトップシートのポリマー材料に組み込まれる。あるいは、トップシートの身体面は、米国特許第４，９５０，２５４号に記載されているように、界面活性剤を用いて処理することによって親水性を持たせることができる。
【００２２】
別の選択肢は、いわゆるハイブリッドトップシートであり、これは繊維性及びフィルム様構造体を組み込み、このようなハイブリッドトップシートの特に有用な実施形態は、ＰＣＴ国際公開特許ＷＯ９３／０９７４４号；同ＷＯ９３／１１７２５号又は同ＷＯ９３／１１７２６号に開示されている。
【００２３】
トップシートは典型的には、吸収性物品全体を横切って、吸収性物品と同一の広がりを持つ領域の外側へ延びる。トップシートは、サイドフラップ、サイドラッピング要素、又はウィングまで延びて、これらの一部又は全体を形成することができる。
【００２４】
トップシートに言及するとき、多層構造体又は単層構造体が意図される。上記のハイブリッドトップシートは、このような多層設計であるが、一次及び二次トップシート設計のような他の多層トップシートも考慮される。
【００２５】
吸収性コア
本発明によると、本明細書に用いるのに好適な吸収性コアは、当該技術分野において既知の吸収性コア又はコアシステムのいずれかから選択されてもよい。本明細書で使用するとき、吸収性コアという用語は、その主要な機能が流体を吸収、貯蔵、及び分配することである、あらゆる物質又は多数の物質の層を指す。
【００２６】
本発明によると、吸収性コアは以下の構成要素を包含できる：（ａ）任意の一次流体分配層（従来は任意の二次流体分配層と共に）；（ｂ）流体貯蔵層；（ｃ）貯蔵層の下に存在する任意の繊維性（「ダスティング」）層；及び（ｄ）他の任意の構成要素。ほとんどの場合、前記層の少なくとも１つは、好適なキャリアと組み合わせて、「ヒドロゲル」、「超吸収体」、「ヒドロコロイド」材料と通常称される吸収性ゲル材料を含む。
【００２７】
バックシート
バックシートは主として、吸収性物品内に吸収及び封じ込められた滲出物が、ズボン下、パンツ、パジャマ、及び衣類など、吸収性製品に接触する物品を濡らすのを防ぐ。一実施形態では、バックシートは、液体（例えば、経血、尿、及び他の膣の流体排泄物）に対して不透過性であり、（フォーム材料のような）他の可撓性の液体不透過性材料を使用することもできるが、薄い可塑性フィルム又は不織布から製造されてもよい。本明細書で使用するとき、用語「可撓性」は、順応性があり、人体の一般的な形状及び輪郭に容易に適合する材料を指す。バックシートは、１つ以上の方向に伸張することを可能にする弾性的特徴を有することもできる。
【００２８】
バックシートは典型的には、吸収性物品全体を横切って延びて、この物品がサイドフラップ、サイドラッピング要素、又はウィングを包含する場合には、このような機構まで延びて、これらの一部又は全体を形成することができる。
【００２９】
吸収性物品のバックシートは、空気透過性水蒸気透過性であるように通気性であってもよく、従って、少なくとも１つの気体透過性の層を含む。好適な気体透過性の層としては、不織布（nonvowens）、例えばポリプロピレンスパンボンド不織布など、又は孔あきフィルム、例えば２次元の平面状ミクロ及びマクロ孔質フィルム、巨視的に伸張されたフィルム、成形孔あきフィルム、及びモノリシックフィルムが挙げられる。本発明によると、上記層の孔はどのような形状であってもよいが、従来は球形又は楕円形であり、様々な寸法をのものでもよい。これらの孔は、従来は層の表面全体に均一に分布されるが、表面のある特定の区域のみに孔を有する層も想定されている。
【００３０】
好適なバックシートの２次元平面層は、当該技術分野において既知のいかなる材料から作製されてもよいが、典型的には、一般に入手可能なポリマー材料から製造される。好適な材料は、いわゆる通気性衣料におけるそれらの用途が当該技術分野において周知の、例えば、ゴアテックス（Gortex）（商標）又はシンパテックス（Sympatex）（商標）タイプの材料である。その他の好適な材料としては、米国ミネソタ州セントポール（St. Paul）のミネソタ・マイニング・アンド・マニュファクチャリング社（Minnesota Mining and Manufacturing Company）製のＸＭＰ−１００１、及びエクソン・ケミカル社（Exxon Chemical Company）から提供されるエグザイア（Exxaire）ＸＢＦ−１０１Ｗが挙げられる。本明細書で使用するとき、２次元平面層という用語は、深さ１ｍｍ未満、従来は０．５ｍｍ未満を有する層を指し、孔はその長さに沿って均一な平均直径を有し、この層の平面から突出していない。本発明でバックシートとして使用するための孔あき材料は、欧州特許第２９３，４８２号及びその中の参照文献に記載されるものなど、当該技術分野において既知の方法のいずれかを使用して生産されてもよい。加えて、この方法により生み出された孔の寸法は、バックシート層の平面にわたって力を加えること（即ち、この層を伸張すること）によって増大されてもよい。
【００３１】
好適な孔あき成形フィルムとしては、層の衣類に面する表面の水平面を越えてコアの方向に延びることで、突出部を形成する別個の孔を有するフィルムが挙げられる。突出部は、その終端部にオリフィスが配置されていてもよい。多くの場合、突出部は、米国特許第３，９２９，１３５号に記載されるものと同様に、漏斗形のものである。平面内に配置される孔及び突出部自体の終端部に配置されるオリフィスは、突出部末端のオリフィスの断面の寸法又は面積が、層の衣類に面する表面に配置される孔の断面の寸法又は面積より小さければ、円形又は非円形であってもよい。多くの場合、孔あき成形フィルムは、単一方向性であるので、完全なではないにせよ、少なくとも実質的にコアに向かって一方向に流体を輸送する。
【００３２】
本明細書で用いるのに好適な巨視的に伸張されたフィルムとしては、例えば、米国特許第４，６３７，８１９号及び同第４，５９１，５２３号に記載されているようなフィルムが挙げられる。
【００３３】
好適なモノリシックフィルムとしては、デュポン（DuPont）社（米国）から入手可能なハイトレル（HYTREL）（商標）や、インデックス９３総会（Index 93 Congress）、会期７Ａ（Session 7A）「不織布への付加価値（Adding value to Nonwovens）」、Ｊ−Ｃ．カーディナル（J-C. Cardinal）及びＹ．トロウイルヘット（Y. Trouilhet）、デュポン・ド・ヌームル・インターナショナルＳ．Ａ（DuPont de Nemours international S.A）（スイス）に記載されるような他の材料、例えば、エルフ・アトケム（Elf Atochem）社（フランス）から入手可能なペバックス（Pebax）（商標）、及びＢ．Ｆ．グッドリッチ（B.F. Goodrich）社（ベルギー）から入手可能なエスタン（Estane）（商標）が挙げられる。
【００３４】
本発明に好適なバックシートは、上記のものから選択される少なくとも１つの層、例えばミクロ孔質及び孔あき成形フィルムと、同様に上記に列挙したバックシートから選択されてもよく、又は繊維性織布若しくは不織布であってもよい追加の層とを包含する、少なくとも２つの層を含んでもよい。一実施形態では、通気性バックシート構成要素は、不織布及び孔あき成形フィルム、又はミクロ孔質フィルム及び疎水性の織布材若しくは不織布材を含む。
【００３５】
接着剤コーティングされた表面は、典型的には保護カバーが設けられ、これは使用前に除去される。吸収性物品の使用前には、ＰＦＡによってコーティングされた領域は典型的には、シリコーンコーティング剥離紙、可塑性フィルム、又はその他いずれかの容易に除去可能なカバーなどの保護カバー手段により、汚れ及び望ましくない箇所である別の表面への接着から保護されている。保護カバー手段は、一体成形、又は、例えば個々の接着剤領域をカバーする、多数の断片として設けることができる。これは、物品の個別包装の提供、又は処分機能の提供などの、他の機能を果たすこともできる。あらゆる市販の剥離紙又はフィルムを使用してもよい。好適な例としては、アクロシル社（Akrosil Corporation）から入手可能なＢＬ３０ＭＧ−Ａシロックス（SILOX）ＥＩ／Ｏ、ＢＬ３０ＭＧ−Ａシロックス（SILOX）４Ｐ／Ｏ、及びコードＸ−５４３２でグロナウ（Gronau）（ドイツ）から入手可能なＭ＆Ｗフィルムが挙げられる。
【００３６】
ＰＦＡは、スロットコーティング、噴霧、及びロールプリントなど、この目的のための当該技術分野において周知の方法のいずれかを使用して、吸収性物品の衣類に面する表面、典型的にはバックシート又はウィングに適用されてもよい。例えば、欧州特許第７４５，４３２号、同第７４５，４３３号、及び同第７４５，３６８号に記載されるような接着剤プリントの開発に伴い、このようなパンティー固定用接着剤をあらゆる所望の形状で提供することも現在では可能となっており、従って、これらの方法は本発明に使用するのに好適である。ＰＦＡを吸収性物品の衣類に面する表面に適用する１つの方法は、バックシート上に直接コーティングすることであり、もう１つの方法は、ＰＦＡを剥離紙上にプリントした後、吸収性物品の衣類に面する表面上に押圧することである。その結果、ＰＦＡは、剥離紙から吸収性物品の衣類に面する表面へ移動する。このような手順は、欧州特許第７８８，３３８号に記載されている。それぞれの技術において既知であるいかなる適用模様も、本発明に従うＰＦＡを本明細書の吸収性物品の衣類に面する表面に適用するのに好適である。説明に役立つ実例は、添付の図に提示されている。典型的には、パンティー固定用接着剤は、例えば、ミクロサイズの断続的なドット、断続的ストリップ、線若しくは格子などの、断続的な模様、又は他の設計形状、例えば、円形で適用される。しかしながら、完全に無作為なＰＦＡ模様も、本発明の範囲内である。ＰＦＡは、あらゆる被覆率が意図されているが、物品の衣類に面する表面上に、少なくとも３０％、典型的には４０％、多くの場合は５０％、場合によっては６０％、及びある場合には７０〜１００％の表面被覆率を有することが望ましいことがある。
【実施例】
【００３７】
典型的には連続するストライプ状に適用される接着剤層は、一定の又は可変の坪量を有する、あらゆる幅又は模様を有することができる。典型的には、適用は、一定の幅及び一定の坪量を有する連続するストライプ状である。１つの適用方法は、スロットコーティングとしても既知の、ホットメルトバーコーティングである。接着剤層は、典型的には５ｇ／ｍ２〜３５ｇ／ｍ２、幾つかの実施形態では、１５ｇ／ｍ２〜２５ｇ／ｍ２、ある用途では１８ｇ／ｍ２〜２２ｇ／ｍ２の坪量で適用することができる。
【００３８】
以下の表１に報告される分析試料を、スロットコーティング技術を使用してポリプロピレンスパンボンド不織布上に直接コーティングした。コーティングは、５０ｍｍの幅を有する連続するストライプ状であった。２４０ｇの新鮮な剥離（fresh peel）（ＱＲＰ）強度を得るために、どちらの接着剤も、（当業者に周知のように）糊の浸透のバランスを保ち、融解温度、ウェブ張力などを微調整しながら、２０ｇ／ｍ２でコーティングした。２ヶ月間の経時変化後に試料を分析し、データを以下の表（「Ａ」）に示す：
【表１】
2009538674.tif 000002
参照：Ｈ．Ｂ．フラー社（ドイツ、リューネブルグ）製のフラー１４６１Ｘ
新規の処方：サヴァレ社（イタリア、ミラノ）製のサヴァレ’ＭＦ１１２Ｄ
【００３９】
試験方法
ＱＲＰ（即時剛性剥離（QuickRigid Peel））
衣類に面する表面上にＰＦＡを含む本発明の物品又はその一部（以下、試料）を、ＰＦＡ付き表面を上向きにして支持体から離した状態で、剛性の支持体上に設置する（試料とＰＦＡは室温である）。次いで、以後「測定窓」と呼ばれる開口部を有するプレートを、ＰＦＡを含む試料表面の上に設置する。試料の寸法は、試料が少なくとも５４ｍｍ（幅）×１２６ｍｍ（長さ）の寸法を有する測定窓に適合するように選択するべきである。試料は、測定窓が完全に試料で埋まるように、プレートの測定窓に対して配置されるべきである。この試験の典型的な手法では、その中点（長手方向中心線と横方向中心線の交点）が測定窓の中点と合致し、試料の長手方向中心線と測定窓が平行であるように、試料を設置する。試料を、堅固に、皺がない方法でグリップにより支持体に固定する。次いで、ウィーブスタイル（Weave Style）ｎｏ．４２９Ｗとして既知であり、レフラー、ジッター・テクニック社（Loeffler, Sitter Technic GmbH）（ドイツ、ネッテルスハイム（Nettersheim））から入手可能な綿（１００％）の断片を、綿断片の一端部が、ＰＦＡと測定窓の端部から約２５ｍｍ延びるように、測定窓を通して露出したＰＦＡ付き表面の上に設置する。測定窓は、綿断片により完全に覆われなければならない。次いで、こうして形成された試料／綿の組み合わせの上に錘を３０秒間設置し、組み合わせが穏やかに均等な方法で確実に加圧されるために、組み合わせ全体が覆われ、重量２６〜２７ｇ／ｃｍ２が加えられるようにする。次いで、ツヴィック（Zwick）引張り試験機（ツヴィック社（Zwick GmbH）から入手可能）を使用して、綿断片を試料から除去するのに必要とされる剥離力を測定する。ここに、綿断片で覆われた試料を載せた支持体を、引張り試験機の下側のクランプに設置し、綿断片の後端（上で指定されたフリーの２５ｍｍと反対側の端部）を、引張り試験機の上側のクランプに設置する。ツヴィック引張り試験機を、速度１０２ｃｍ／分に設定する。典型的には、クランプは２５０ｍｍ間隔を空けている。あらゆる好適な定速伸長引張り試験機が使用できることは明らかである。次いで、圧縮錘の除去後１分以内に、引張り試験機が開始する。綿断片を、測定窓の長手方向寸法に対して平行な方向に、試料から引き剥がす。剥離処置の間、上側のクランプの移動（これは試料と共に角度１８０°動いた）に沿った綿断片の引き剥がしに必要とされる剥離力を測定する。剥離力は、１３ｃｍパス間のピーク力群の平均として計算する。加速及び減速の影響を避けるために、測定の最初の２．５ｃｍ及び最後の３．７５ｃｍは、剥離力の計算の考慮に入れない。上記試験は、例えば、５４ｍｍ（幅）×１２６ｍｍ（長さ）の測定窓を有し、重量２．１ｋｇ、面積寸法５４ｍｍ×１４０ｍｍである支持体プレートを使用して、標準のオールウェイズ・オールデイズ（Always Alldays）パンティライナーの形状及びサイズの試料について行われる。この方法は、異なる試料サイズに合わせて、当業者により容易に調節することができる。
【００４０】
ＡＣＰ（自動調製剥離（Automated Conditioned Peel））
ＱＲＰと同じであるが、より長い圧縮時間（３０分の代わりに１時間）、（オーブン内における）圧縮中のより高い温度（室温の代わりに３７±２℃）、並びに２つの標準材料：（１．）（ＱＲＰ法において既に記載したような）コットン（Cotton）ウィーブスタイル４２９‐Ｗ、及び（２．）同様にレフラー、ジッター・テクニック社（ドイツ、ネッテルスハイム）から入手可能な、柔軟剤で処理したコットンウィーブスタイルＰＧ‐４２９Ｗ−Ｔ。
【００４１】
評価基準
１．ΔＳは、コットンウィーブ（スタイル♯４２９）に関するＡＣＰ（簡略化のために「Ｘ」と呼ぶ）から、柔軟剤で処理したコットンウィーブ（スタイル♯ＰＧ‐４２９Ｗ−Ｔ）に関するＡＣＰ（「Ｙ」と呼ぶ）の接着強度までの、接着強度の減少の％である。このパラメータは、未処理のパンティーに対する柔軟剤処理済のパンティーの接着性損失を予測するものである。より狭いΔＳにより、様々なパンティー材料及び洗濯習慣を通して、安定した性能が確保される。それ故に、本明細書ではより低いΔＳが好ましい。ΔＳを、以下のように計算する。
（Ｘ−Ｙ）／Ｘ×１００
【００４２】
２．ΔＰは、コットンウィーブ（スタイル♯４２９）に関するＱＲＰ（簡略化のために「Ａ」と呼ぶ）から、コットンウィーブ（スタイル♯４２９）に関するＡＣＰ（「Ｘ」と呼ぶ）への、増加の％である。このパラメータは、経時に伴う接着性増大、及び圧力／時間／温度により促される強度の変動を予測するものである。より狭いΔＰにより、様々な消費者による圧縮習慣、即ち、適用時の圧縮、着用時の圧縮などを通して、安定した性能が確保される。それ故に、本明細書ではより低いΔＰが好ましい。ΔＰを、以下のように計算する。
（Ｘ−Ａ）／Ａ×１００
【００４３】
本明細書に開示される試験方法は、その衣類に面する表面上にＰＦＡを連続模様か、又はストライプ若しくはドットの形状のような非連続模様状かで含む吸収性物品を試験するのに使用することもできる。この場合、物品は、測定窓を通して露出しているＰＦＡコーティング領域が最大になるように、測定に関して配置される必要がある。
【００４４】
本明細書に開示される寸法及び値は、列挙された正確な数値に厳しく限定されるものとして理解されるべきでない。それよりむしろ、特に指定されない限り、各こうした寸法は、列挙された値とその値周辺の機能的に同等の範囲との両方を意味することを意図する。例えば、「４０ｍｍ」として開示された寸法は、「約４０ｍｍ」を意味することを意図する。
【国際調査報告】
2009538674.tif 000003
2009538674.tif 000004
2009538674.tif 000005